【事件の表示】
　特願２００７−　２１１３０「撮像装置、撮像装置の制御方法及びプログラム」拒絶査定不服審判事件〔平成２０年　８月１４日出願公開、特開２００８−１８７６１５〕について、次のとおり審決する。
【結　論】
　本件審判の請求は、成り立たない。
【理　由】
１．手続の経緯
　本願は、平成１９年１月３１日の出願であって、平成２３年１１月１６日付(起案日)で拒絶の理由が通知され、平成２４年１月２３日付で意見書及び手続補正書が提出され、平成２４年３月２９日付(起案日)で拒絶の理由が通知され、平成２４年５月３１日付で意見書及び手続補正書が提出されたものの、平成２４年９月２１日付(起案日)で拒絶査定がなされたものである。　
　本件は、上記拒絶査定を不服として平成２４年１２月２１日に請求された拒絶査定不服審判であって、その審判請求と同時に手続補正書が提出され、当審において、前置報告書の内容について審判請求人の意見を求めるために、平成２５年４月１２日付(起案日)で審尋がなされ、平成２５年６月１４日付で回答書が提出され、平成２５年９月１３日付(起案日)で拒絶の理由が通知され、平成２５年１１月１４日付で意見書・手続補正書が提出されたものである。
　
２．本願発明
　本願の請求項１〜６に係る発明は、平成２４年１月２３日付、平成２４年５月３１日付、平成２４年１２月２１日付、及び、平成２５年１１月１４日付手続補正書で補正された明細書、特許請求の範囲及び図面の記載からみて、それぞれ、その特許請求の範囲の請求項１〜６に記載されたとおりのものと認められるところ、その請求項１に係る発明は請求項１に記載された次のとおりである。（以下「本願発明」という。）　
　
「【請求項１】
　各々が光電変換素子を含み、水平方向及び垂直方向に配置された複数の画素から構成される画素配列と、前記画素配列から複数色の画素信号を読出す画素読出手段と、少なくとも２つの異なる利得の設定が可能で、前記画素読出手段により前記画素配列から読出された前記複数色の画素信号を増幅して出力する増幅手段と、前記増幅手段により前記複数色の全色の画素信号がそれぞれ少なくとも２つの異なる利得で増幅されるように、前記画素配列の規定の周期の行毎又は列毎に前記増幅手段に対して異なる利得を設定する利得設定手段とを備えた撮像素子と、
　撮影する被写体に対して光を照射する発光手段と、
　前記撮像素子から出力される複数色の全色の画素信号を利用して前記被写体からの反射光を測光する測光手段と、
　前記測光手段による測光結果に基づいて前記発光手段の発光量を決定し、決定した発光量で前記発光手段が発光するように制御する制御手段と、
　を備え、
　前記測光手段により前記被写体からの反射光を測光する場合に、前記画素読出手段が前記画素配列に対して水平方向又は垂直方向に規定の周期で画素間引きを行って画素信号を読出すとともに、前記増幅手段が前記画素配列における間引かれない画素行又は画素列に対して規定の周期の行毎又は列毎に設定された少なくとも２つの異なる利得で増幅することを特徴とする撮像装置。」
　
３．引用刊行物
３．１．引用例１
３．１．１．引用例１の記載事項
　当審における平成２５年９月１３日付の拒絶の理由で刊行物２として引用した特開平１１−８４４８９号公報(以下「引用例１」という。)には、図面と共に、以下の記載がある。
　
「【請求項１】  撮影時に被写体に向かって補助光を照射し本発光の光量を設定するために複数回の一定光量の予備発光を行う予備発光照射手段と、
前記予備発光照射手段による複数回の一定光量の予備発光を受け被写体により反射された光を光電変換する撮像素子と、
前記複数回の予備発光において光電変換された前記撮像素子の出力信号を、それぞれの予備発光に対して異なった増幅率で増幅する増幅手段と、
前記それぞれの予備発光に対して得られた前記増幅手段の出力信号の平均レベルが所定範囲にあるか否かを検出するための検出手段と、
当該検出手段による検出の結果、前記増幅手段の出力信号の平均レベルが所定範囲にあると判別された当該増幅手段の出力信号に基づいて本発光の光量を演算する演算手段と、
を具備したことを特徴とするストロボ装置。」
「【発明の詳細な説明】
【０００１】
【発明の属する技術分野】本発明は、ストロボ装置、詳しくは、撮影時に被写体に向かって補助光を照射し本発光の光量を設定するための予備発光を行うストロボ装置に関する。」
「【０００２】
【従来の技術】一般に、カメラ等の撮像装置で撮影を行う際に、自然光だけでは光量が不足した場合、不足分を例えば、ストロボ装置で補っている。このストロボ装置においては、撮影の際の発光量を適正にするために先だって予備発光を行い、実際の露光時の本発光の発光量を設定している。このように本発光の発光量を制御する場合には、例えば、特開平３−１２６３８３号公報に開示されるようなストロボ装置内に発光量を制御するための専用の受光素子を含む制御回路を設けている。」
「【０００３】また、特公平５−４４６５４号公報には、専用の受光素子や制御回路を設けずに、撮像素子を利用し、積分された出力に基づいて本発光の発光量を設定する電子カメラシステムが開示されている。」
「【０００４】
【発明が解決しようとする課題】しかしながら、上記特公平５−４４６５４号公報等において提案された予備発光は、１回の予備発光で得られた情報に基づいて本発光の発光量を決めているので、遠距離の被写体に対して十分な光量が得られない虞がある一方、近距離の被写体に対しては露光量オーバになる虞もあり、適正な発光量を得ることが困難であった。」
「【０００５】本発明はかかる問題点に鑑みてなされたものであり、本発光において最適な光量が得られる予備発光を行うストロボ装置を提供することを目的とする。」
「【０００９】
【発明の実施の形態】以下、図面を参照して本発明の実施の形態を説明する。」
「【００１０】図１は、本発明の第１の実施形態であるストロボ装置の構成を示したブロック図である。」
「【００１１】この実施形態のストロボ装置は、被写体像を入光する撮影レンズ１と、この撮影レンズ１の後方に配設され、絞りを兼用するシャッタ２と、上記撮影レンズ１に入光する被写体像を撮像するＣＣＤ等の固体撮像素子３と、この撮像素子３で撮影された画像信号を増幅する増幅回路４と、この増幅回路４で増幅された画像信号をサンプリングホールドする信号処理回路５と、この信号処理回路５からの信号をアナログ／デジタル変換するＡ／Ｄ回路６と、Ａ／Ｄ回路６からの出力信号を記憶するメモリ７と、前記Ａ／Ｄ回路３若しくはメモリ７からの出力信号に基づきストロボ発光管１３の発光量を算出するとともに当該ストロボ装置の各構成部位の駆動制御を行う中央処理装置（ＣＰＵ）８と、前記ＣＣＤ３の駆動を行うためのタイミング信号を生成するタイミングジェネレータ（ＴＧ）９と、ＣＰＵ８の制御下において上記シャッタ２の制御を行うシャッタ制御回路１０と、例えばＸｅ管からなるストロボ発光管１３と、上記ＣＰＵ８の制御下に上記ストロボ発光管１３の発光量を制御する発光量制御回路１１と、同ストロボ発光管１３のトリガ電極１２と、上記ＣＰＵ８に接続されたストロボ発光モードスイッチ（ＳＷ１）１４と、同ＣＰＵ８に接続されたレリーズスイッチ（撮影動作開始スイッチＳＷ２）１５と、で主要部が構成される。」
「【００１２】上記増幅回路４は、ＣＰＵ８からの制御信号に基づいた所定の増幅率でＣＣＤ３の出力信号を増幅する。」
「【００１３】また、上記信号処理回路５は、増幅回路４で増幅された画像信号に対し、ガンマ補正や色補正等の所定の信号処理を行なう。」
「【００１４】また、上記ストロボ発光モードスイッチ１４は、オンすることでＣＰＵ８はストロボ発光をおこない、また、レリーズスイッチ１５は、オンすることでＣＰＵ８の制御下に撮影動作が開始される。」
「【００１５】このような構成をなす本第１の実施形態のストロボ装置における、予備発光による本発光の発光量演算動作および撮影動作を図２に示すフローチャートを参照して説明する。」
「【００１６】本実施形態のストロボ装置は、１回の予備発光毎に増幅回路４の増幅率が適正であるか否かを判断することを特徴とする。」
「【００１７】図２に示すように、上記レリーズスイッチ１５がオンされると（ステップＳ１）、まず、自然光のみによる画像データが入力され、ＣＰＵ８において自然光による画像データの平均値Ｖ０が求められる（ステップＳ２）。なお、このとき、入力される画像データは、増幅回路４の増幅率を１として直接測定される。」
「【００１８】次に、この画像データの平均値Ｖ０により、増幅率ｍを設定し（ステップＳ３）、この増幅率ｍでＣＰＵ８の制御下に予備発光を実施する（ステップＳ４）。」
「【００１９】この後、Ａ／Ｄ回路６でＡ／Ｄ変換され（ステップＳ５）、この画像データがメモリ７に記憶される（ステップＳ６）。」
「【００２０】次に、予備発光による画像データの平均値Ｖ１を求める（ステップＳ７）。このとき、増幅回路４の増幅率は１とする。」
「【００２１】この後、上記予備発光による画像データの平均値Ｖ１が所定値αとβとの間にあるかいなかを判定し（ステップＳ８）、α＜Ｖ１＜βになると、ＣＰＵ８は、本発光の発光量を演算する（ステップＳ９）。なお、この演算方法は後に詳述する。」
「【００２２】この後、ＣＰＵ８はシャッタ２の開閉制御をするとともにストロボ発光管１３より本発光せしめ（ステップＳ１０、Ｓ１１、Ｓ１２）、ＣＣＤ３からの画像データを取り込む（ステップＳ１３）。」
「【００２３】次に、本第１の実施形態における本発光の発光量の演算方法について説明する。」
「【００２４】まず、上述したように、自然光による画像データの平均値Ｖ０を求め、増幅率を設定した後、予備発光による画像データの平均値Ｖ１を求める。そして、増幅後の画像データの平均値Ｖ２を求めた後、本発光による画像データの適正レベルＶ３を求める。なお、本発光は増幅率１で行なうものとする。」
「【００２５】このように、各値が求まると、本発光時の本発光のみによる画像データの平均出力は、Ｖ３−Ｖ０であるので、本発光は予備発光に対してＫ倍、すなわち、Ｋ＝（Ｖ３−Ｖ０）／Ｖ１倍で、発光させる。ただし、Ｖ１＝（Ｖ２／ｍ）−Ｖ０
実際は、ＣＰＵ８は、上記Ｋと発光時間（ｔ）との関係を記憶しているＬＵＴ（Ｌｏｏｋ  Ｕｐ  Ｔａｂｌｅ）を参照して本発光の発光する間を決定する。」
「【００２６】なお、自然光のみおよび予備発光における測光時おいては、全画面を６４の領域に分割し、各領域ごとにハード的に各画素データが平均化されたデータを撮像素子より求めるようにしても良い。これにより、より高速処理が実現できる。」
「【００２７】このように本第１の実施形態のストロボ装置によると、本発光において最適に増幅された画像データが得られる。」
「【００２８】次に、本発明の第２の実施形態について説明する。」
「【００２９】この第２の実施形態のストロボ装置は、その構成は上記第１の実施形態と同様であり、予備発光に基づく本発光の発光量演算動作のみを異にしている。したがってここでは差異のみの言及にとどめ、同様部分の詳しい説明は省略する。」
「【００３０】本第２の実施形態のストロボ装置における、予備発光による本発光の発光量演算動作および撮影動作を図３に示すフローチャートを参照して説明する。」
「【００３１】図３に示すように、上記レリーズスイッチ１５がオンされると（ステップＳ１）、まず、自然光のみによる画像データが入力され、ＣＰＵ８において自然光による画像データの平均値Ｖ０が求められる（ステップＳ２）。以下、ステップＳ６までは、上記第１の実施形態と同様であるので、説明は省略する。」
「【００３２】次に、予備発光がＮ回なされたか否かを判定し（ステップＳ２１）、Ｎ回予備発光がなされると、それぞれの予備発光毎の画像データの平均値Ｖｍを求め（ステップＳ２２）、各予備発光による画像データの平均値Ｖｍが所定値αとβとの間にあるかいなかを判定し（ステップＳ２３）、α＜Ｖｍ＜βであると、ＣＰＵ８は、本発光の発光量を演算する（ステップＳ９）。なお、この演算方法は、上記第１の実施形態と同様である。」
「【００３３】この後、ＣＰＵ８はシャッタ２の開閉制御をするとともにストロボ発光管１３より本発光せしめ（ステップＳ１０、Ｓ１１、Ｓ１２）、ＣＣＤ３からの画像データを取り込む（ステップＳ１３）。」
「【００３４】この第２の実施形態によると、本発光においてより最適に増幅された画像データを得ることができる。」
「【図１】
」
「【図２】
」
「【図３】
」
　
３．１．２．引用例１記載の発明
　上記摘記した引用例１の記載、特に、【請求項１】、段落【００２８】〜【００３４】、および、【図３】の記載からみて、引用例１には以下の発明が記載されている。
　
「撮影時に被写体に向かって補助光を照射し本発光の光量を設定するために複数回の一定光量の予備発光を行う予備発光照射手段と、
　前記予備発光照射手段による複数回の一定光量の予備発光を受け被写体により反射された光を光電変換する撮像素子と、
　前記複数回の予備発光において光電変換された前記撮像素子の出力信号を、それぞれの予備発光に対して異なった増幅率で増幅する増幅手段と、
　前記それぞれの予備発光に対して得られた前記増幅手段の出力信号の平均レベルが所定範囲にあるか否かを検出するための検出手段と、
　当該検出手段による検出の結果、前記増幅手段の出力信号の平均レベルが所定範囲にあると判別された当該増幅手段の出力信号に基づいて本発光の光量を演算する演算手段と、
　前記演算手段で演算された本発光の光量に基づいて本発光を行うとともに、撮像素子から最適な画像データを得ることを特徴とするストロボ装置。」
　
３．２．引用例２
３．２．１．引用例２の記載事項
　当審における平成２５年９月１３日付の拒絶の理由で刊行物３として引用した特開２００１−２３８１２６号公報(以下「引用例２」という。)には、図面と共に、以下の記載がある。
　
「【請求項１】  被写体を撮像して前記被写体に関する画像データを生成する撮像装置であって、
複数の画素が２次元的に配列されて構成された撮像面を有し、当該撮像面に対して高感度領域と低感度領域とが交互に設定された一の撮像素子と、
前記高感度領域に含まれる画素群から高感度画像を生成するとともに、前記低感度領域に含まれる画素群から低感度画像を生成し、前記高感度画像と前記低感度画像との合成処理を行って、前記被写体に関する画像の画像データを生成する画像処理手段と、を備えることを特徴とする撮像装置。」
「【請求項４】  請求項１ないし請求項３のいずれかに記載の撮像装置において、
前記撮像素子は、前記撮像面に分布する画素ごとのデータをライン単位で読み出しを行うように構成され、前記高感度領域と前記低感度領域とが所定ラインごとに交互に繰り返して設定された素子であり、
前記画像処理手段は、前記撮像素子からライン単位で複数の画素のデータを取得する際に、前記高感度領域として設定されたラインに含まれる画素に対しては高ゲインを設定し、前記低感度領域として設定されたラインに含まれる画素に対しては低ゲインを設定することによって、前記高感度画像と前記低感度画像とを前記所定ラインごとに順次に生成していくことを特徴とする撮像装置。」
「【請求項５】  請求項４に記載の撮像装置において、
前記撮像素子は、前記撮像面に分布する前記複数の画素がベイヤー配列で各色成分に対応づけられた素子であり、
前記画像処理手段は、前記撮像素子からライン単位で複数の画素のデータを取得する際に、２ラインごとに前記高ゲインと前記低ゲインとの設定切り替えを行うことで、前記高感度画像と前記低感度画像とを生成することを特徴とする撮像装置。」
「【０００１】
【発明の属する技術分野】この発明は、一の撮像素子を用いて被写体を撮像して当該被写体に関する画像データを生成するデジタルカメラ等の撮像装置、及び、その画像データを生成するための画像処理方法に関する。」
「【０００２】
【従来の技術】従来、デジタルカメラ等の撮像装置においては、２次元の画素配列を有するＣＣＤ（Charge Coupled Device）等の撮像素子を用いて被写体を撮影すると、被写体像の明るい部分が白くなりすぎる（いわゆる白とび）という現象が生じる一方、被写体像の暗い部分が黒くなりすぎる（いわゆる黒つぶれ）という現象が生じることがある。この現象は、一般的な撮像素子のダイナミックレンジが狭いことに起因するものであり、画質低下の要因とっている。」
「【０００３】このような現象を解消するために、２個以上の撮像素子を用いて同一被写体を同時に撮影し、１個の撮像素子のダイナミックレンジが狭いことによる影響を他の撮像素子で補うように構成することが考えられる。」
「【０００４】
【発明が解決しようとする課題】しかしながら、一般に撮像素子は他の部品に比べて高価であるため、撮像装置に２個以上の撮像素子を設けると、撮像装置のコスト上昇を招くという問題がある。また、２個以上の撮像素子を設けるために、撮像装置自体が大型化するという問題もある。」
「【０００５】そこで、この発明は、上記課題に鑑みてなされたものであって、コスト上昇や撮像装置の大型化を招くことなく、ダイナミックレンジの拡大された撮像画像を生成することの可能な撮像装置および画像処理方法を提供することを目的とする。」
「【００１６】
【発明の実施の形態】以下、この発明の実施の形態について図面を参照しつつ説明する。」
「【００１７】図１は、この発明の実施の形態における撮像装置１の概略構成を示すブロック図である。なお、図１において、斜線の施された矢印は画像データの流れを示しており、細線矢印は制御用データの流れを示している。」
「【００１８】この撮像装置１は、被写体から光をＣＣＤ１０に導くためのレンズ７と、撮像素子となるＣＣＤ１０と、ＣＣＤ１０で得られたデータから被写体に関するカラー画像データを生成する画像処理部２０と、撮影タイミングを指示するためのシャッタボタン３０とを備えている。」
「【００１９】ＣＣＤ１０の撮像面１１には、複数の画素が２次元配列されている。そして、撮像面１１には被写体からの光が導かれ、各画素ごとに被写体の対応する部分からの光を検出し、その光量に応じた電気信号（輝度信号）を生成する。」
「【００２０】図２は、ＣＣＤ１０の撮像面１１を模式的に表した図である。図２に示すようにＣＣＤ１０の撮像面１１に分布する各画素は、カラーコーディングによってベイヤー配列をしたＲ（レッド），Ｇ（グリーン），Ｂ（ブルー）の各色成分に対応づけられている。すなわち、最上段の水平方向に沿った１ライン目は、Ｒ，Ｇ，Ｒ，Ｇ，…というようにＲ成分に対応づけられた画素とＧ成分に対応づけられた画素とが繰り返すようにＧ−Ｒラインが形成されており、最上段から２段目の２ライン目は、Ｇ，Ｂ，Ｇ，Ｂ，…というようにＧ成分に対応づけられた画素とＢ成分に対応づけられた画素とが繰り返すようにＢ−Ｇラインが形成されている。そして、３ライン目以降は上記と同様の配列が繰り返されている。」
「【００２１】したがって、このようなベイヤー配列のＣＣＤ１０を使用して各画素ごとにＲ，Ｇ，Ｂの３成分を有するカラー画像を生成する場合、少なくとも２ライン分の情報がなければ、適切にカラー画像を生成することができなくなる。」
「【００２２】また、ＣＣＤ１０の撮像面１１には、高感度撮影用領域と低感度撮影用領域とが設定される。図３は、撮像面１１における高感度撮影用領域と低感度撮影用領域との設定例を示す図である。この実施形態では、撮像面１１における各色成分がベイヤー配列されていることから、図３に示すように、高感度撮影用領域ＲＨと低感度撮影用領域ＲＬとがそれぞれ水平方向Ｈに沿った２ラインごとに交互に設定されている。」
「【００２３】次に、画像処理部２０は、データ読出部２１、高／低感度画像並び替え部２２、画素補間処理部２３、垂直２ライン画素補間処理部２４、ダイナミックレンジ拡大処理部２５、メモリ２６、出力部２７、タイミングジェネレータ２８、およびＣＰＵ（Central Processing Unit）２９を備えて構成される。」
「【００２４】データ読出部２１は、ＣＣＤ１０から各画素の輝度信号をタイミングジェネレータ２８からの指示タイミングに基づいて順次に読み出す。このときの読み出し順序は、図３の撮像面１１において上段側１ライン目から水平方向Ｈに沿った１ラインごとに順次に行われる。」
「【００２５】また、データ読出部２１にはオートゲインコントロール部（以下、ＡＧＣと呼ぶ）２１１が設けられており、ＡＧＣ２１１は、１ラインごとに順次に各画素の輝度信号を読み出していく際に、現在読み出し対象となっているラインが高感度撮影用領域ＲＨと低感度撮影用領域ＲＬとのいずれであるかを判断し、高感度撮影用領域ＲＨである場合には比較的大きな値である所定のゲインＧＨが設定されるのに対し、低感度撮影用領域ＲＬである場合には比較的小さな値である所定のゲインＧＬが設定される。つまり、ゲインＧＨとＧＬとの関係はＧＨ＞ＧＬとなっている。この結果、高感度撮影用領域ＲＨに含まれる画素群から得られる画像は輝度変化を高感度に表した高感度画像となる一方、低感度撮影用領域ＲＬに含まれる画素群から得られる画像は輝度変化に対する感度の低い低感度画像となる。」
「【００２６】さらに、データ読出部２１には図示しないＡ／Ｄ変換器が設けられており、上記のようなゲイン制御が行われた画素ごとの輝度信号は、例えば８ビットのデジタルデータに変換され、０〜２５５の階調値を有する画像データとなる。」
「【００２７】図４は、データ読出部２１において高感度撮影用領域ＲＨおよび低感度撮影用領域ＲＬにおける画像データを生成する際の変換特性を示す図である。」
「【００２８】データ読出部２１が高感度撮影用領域ＲＨに含まれる画素の輝度信号を読み出すと、図４に示す高感度特性４１に応じたデータ変換を行うこととなり、低輝度域においては輝度変化が敏感に画像データに反映されることになる。しかしながら、高輝度域においては設定されるゲインＧＨが大きな値であることから画像データが飽和状態となって、いわゆる白とびした画像となる。」
「【００２９】一方、データ読出部２１が低感度撮影用領域ＲＬに含まれる画素の輝度信号を読み出すと、図４に示す低感度特性４２に応じたデータ変換を行うこととなり、輝度変化に鈍感な画像データとなる。このため、低輝度域ではいわゆる黒つぶれした画像となる。しかしながら、高輝度域においては低感度ながら輝度信号の変化に対応した画像データを出力することが可能となっている。」
「【００３０】そして、データ読出部２１は読み出し順序に従って、画素ごとに輝度信号から画像データを生成し、その画像データを順次に高／低感度画像並び替え部２２に送出する。」
「【００３１】高／低感度画像並び替え部２２は、高感度画像および低感度画像を生成する。データ読出部２１で得られる画像データはＣＣＤ１０における画素の配列に応じてラインごとに順次に読み出されるため、画像としては、図３に示すように２ラインごとに高感度部分と低感度部分とが垂直方向Ｖに沿って混在した画像となっている。そこで、高／低感度画像並び替え部２２は、その混在した画像から高感度部分のみからなる高感度画像と低感度部分のみからなる低感度画像との２つの画像に分割する。具体的には、図３に示すような高感度部分と低感度部分とが混在した画像から、２ラインごとの画像データの抽出を行い、高感度画像と低感度画像との２画像を生成するのである。」
「【００３２】図５は、高／低感度画像並び替え部２２で生成される２画像を示す図である。高／低感度画像並び替え部２２は上記のような処理を行うことによって、図５（ａ）に示すような高感度撮影用領域ＲＨに含まれる画素群から抽出された画像データで形成される高感度画像と、図５（ｂ）に示すような低感度撮影用領域ＲＬに含まれる画素群から抽出された画像データで形成される低感度画像とを生成する。このように高感度画像と低感度画像との２画像に分離することによって、後述する補間処理を画像ごとに容易に行うことが可能になる。そして、このようして生成された高感度画像と低感度画像との２画像は、画素補間処理部２３に送出される。」
「【００３９】次に、ダイナミックレンジ拡大処理部２５による処理が行われる。ダイナミックレンジ拡大処理部２５は、ＣＣＤ１０によって得られた画像データのダイナミックレンジを拡大するための処理を行う。つまり、このダイナミックレンジ拡大処理部２５において、高輝度部分での白とびや低輝度部分での黒つぶれといった現象を解消するような処理が行われるのである。」
「【００４０】ダイナミックレンジ拡大処理部２５には、図１に示すように混合比決定部２５１と合成処理部２５２とが設けられており、まず、混合比決定部２５１が高感度画像と低感度画像との混合比α，（１−α）を決定する。ただし、αは、０≦α≦１を満たす数である。」
「【００４１】図７は、混合比決定部２５１において決定される混合比α，（１−α）の画像データとの関係を示す図である。混合比決定部２５１は、高感度画像の画像データを取得し、その高感度画像の各画素における画像データの状況に応じて高感度画像の混合比（１−α）と低感度画像の混合比αとを画素ごとに決定する。この実施形態では、図７に示すように、低輝度部分に対応する画像データの小さい部分では、高感度画像についての混合比（１−α）が大きく、かつ、低感度画像についての混合比αが小さくなるように混合比特性５１が設定されている。一方、高輝度部分に対応する画像データの大きい部分では、高感度画像についての混合比（１−α）が小さく、かつ、低感度画像についての混合比αが大きくなるように混合比特性５１が設定されている。そして、混合比決定部２５１は、高感度画像の画素ごとの画像データを取得すると、図７に示す混合比特性５１に基づいて混合比α，（１−α）を求め、決定された混合比α，（１−α）を合成処理部２５２に与える。なお、混合比の決定は、画素ごとに行われるものでなく、一定の画像部分ごとに行われる形態であってもよい。」
「【００４２】合成処理部２５２では、混合比α，（１−α）に基づいて高感度画像と低感度画像とを画素ごとに合成し、一つの合成画像を生成する。高感度画像と低感度画像とは、同一画素数を有するフルサイズ化された画像となっている。したがって、高感度画像において１個の画素が特定されると、低感度画像においてもそれに対応する位置の１個の画素が特定される。そして、合成処理部２５２は、高感度画像と低感度画像との対応する画素の画像データを上記混合比に基づいて合成するのである。」
「【００４３】例えば、高感度画像における画素の画像データがＤ１であるとし、その画素に対応する低感度画像の画像データがＤ２であるとすると、合成処理によって生成される合成画像の画像データＤは、Ｄ＝（１−α）・Ｄ１＋α・Ｄ２となる。合成画像の画像データＤは、図７に示す混合比特性５１によって、高輝度部分では低感度の画像データをその成分として多く含むこととなるため、高輝度部分において画像データが飽和状態となることを防止することができ、いわゆる白とびという現象が低減された画像データとなる。一方、低輝度部分では高感度の画像データをその成分として多く含むこととなるため、低輝度部分において画像がいわゆる黒つぶれとなってしまう現象が低減された画像データとなる。」
「【００４４】したがって、高輝度部分における白とびや低輝度部分における黒つぶれが解消されるということに鑑みれば、この合成処理は、ＣＣＤ１０におけるダイナミックレンジの拡大処理を行ったことに相当するのである。この実施形態においては、ＣＣＤ１０自体のダイナミックレンジを拡大するというものではなく、画像処理においてＣＣＤ１０のダイナミックレンジを拡大するように処理するものであるため、ＣＣＤ１０を高価なものに置き換えることなく、白とびや黒つぶれを解消することが可能になっている。このため、撮像装置１におけるコスト上昇を招くことなく、白とびや黒つぶれを解消することが可能になっている。」
「【００４５】そして、ダイナミックレンジ拡大処理部２５における上記のような処理をＲＧＢやＹＣｒＣｂの各色成分について画素ごとに行うことにより、カラー画像全体についてダイナミックレンジの拡大された画像を得ることが可能になる。」
「【００６４】さらに、上記実施の形態では、ＣＣＤ１０の撮像面１１がベイヤー配列された構成である場合について説明したが、これに限定されるものではなく補色タイプのＣＣＤにも適用可能である。
「【００６５】また、上記実施の形態では、撮像面１１が所定ラインごと（具体的には２ラインごと）に高感度撮影用領域ＲＨと低感度撮影用領域ＲＬとが設定されている例について説明したが、これに限定されるものではない。
「【００６６】例えば、ベイヤー配列の場合、２×２の４画素ごとに交互に高感度撮影用領域および低感度撮影用領域を設定してもよい。ただし、この場合は画像拡大を行うための画素補間処理を水平方向Ｈと垂直方向Ｖとの双方について行っていくことが必要であるため、処理形態が複雑化することになる。」
「【００６７】これに対し、所定ラインごとに高感度撮影用領域ＲＨと低感度撮影用領域ＲＬとを設定する場合には、画像拡大の行うための画素補間処理を上記と同様に垂直方向Ｖのみについて行えばよいので、効率的に行うことが可能である。そして、ベイヤー配列の場合には、２ラインごとに高感度撮影用領域ＲＨと低感度撮影用領域ＲＬとを設定することで、高感度画像と低感度画像とのカラー化を良好に行うことができるという特有の作用効果を奏することになる。」
「【００６８】さらに、撮像素子としてＣＣＤ１０を用いる場合には、水平方向Ｈに沿ったラインに沿って画素ごとの輝度信号が順次に読み出されていくため、ラインごとに高感度撮影用領域ＲＨと低感度撮影用領域ＲＬとを設定すれば、読み出しの際のゲイン制御をラインごとに行えばよいことになるので、比較的容易に高感度画像と低感度画像とを生成することが可能になる。」
「【図１】
」
「【図２】
」
「【図３】
」
　
３．２．２．引用例２記載の発明
　引用例２の記載について検討する。
　
　第一に、上記段落【０００１】【０００５】の記載からみて、引用例２記載の発明は「ダイナミックレンジの拡大された撮像画像を生成することの可能な撮像装置」である。
　第二に、上記段落【００１８】の記載からみて、引用例２記載の発明は「撮像素子となるＣＣＤ１０」「ＣＣＤ１０で得られたデータから被写体に関するカラー画像データを生成する画像処理部２０」を有している。
　第三に、上記段落【００１９】〜【００２２】の記載からみて、引用例２記載の発明の「ＣＣＤ１０の撮像面１１には、複数の画素が２次元配列されるとともに、撮像面１１における各色成分がベイヤー配列され、適切なカラー画像を生成するために、高感度撮影用領域ＲＨと低感度撮影用領域ＲＬとがそれぞれ水平方向Ｈに沿った２ラインごとに交互に設定され」ているものである。
　第四に、上記段落【００２３】の記載からみて、引用例２記載の発明の「画像処理部２０」は「データ読出部２１、高／低感度画像並び替え部２２、タイミングジェネレータ２８、およびＣＰＵ（Central Processing Unit）２９を備えて構成され」たものである。
　第五に、上記段落【００２４】【００２５】の記載からみて、引用例２記載の発明の「データ読出部２１」は「ＣＣＤ１０から各画素の輝度信号をタイミングジェネレータ２８からの指示タイミングに基づいて順次に読み出すものであって、現在読み出し対象となっているラインが高感度撮影用領域ＲＨと低感度撮影用領域ＲＬとのいずれであるかを判断し、高感度撮影用領域ＲＨである場合には比較的大きな値である所定のゲインＧＨが設定し、低感度撮影用領域ＲＬである場合には比較的小さな値である所定のゲインＧＬが設定され」るものである。
　第六に、上記段落【００３１】【００３２】の記載からみて、引用例２記載の発明の「高／低感度画像並び替え部２２」は「２ラインごとに高感度部分と低感度部分とが垂直方向Ｖに沿って混在した画像となっているデータ読出部２１で得られる画像データから、２ラインごとの画像データの抽出を行い、高感度画像と低感度画像との２画像を生成する」ものである。
　
　したがって、引用例２には以下の発明(以下「引用発明２」という。)が記載されている。
　
「ダイナミックレンジの拡大された撮像画像を生成することの可能な撮像装置であって、
　撮像素子となるＣＣＤ１０、
　ＣＣＤ１０で得られたデータから被写体に関するカラー画像データを生成する画像処理部２０を有し、
　ＣＣＤ１０の撮像面１１には、複数の画素が２次元配列されるとともに、撮像面１１における各色成分がベイヤー配列され、適切なカラー画像を生成するために、高感度撮影用領域ＲＨと低感度撮影用領域ＲＬとがそれぞれ水平方向Ｈに沿った２ラインごとに交互に設定され、
　画像処理部２０は、データ読出部２１、高／低感度画像並び替え部２２、タイミングジェネレータ２８、およびＣＰＵ２９を備えて構成され、
　データ読出部２１は、ＣＣＤ１０から各画素の輝度信号をタイミングジェネレータ２８からの指示タイミングに基づいて順次に読み出すものであって、現在読み出し対象となっているラインが高感度撮影用領域ＲＨと低感度撮影用領域ＲＬとのいずれであるかを判断し、高感度撮影用領域ＲＨである場合には比較的大きな値である所定のゲインＧＨが設定し、低感度撮影用領域ＲＬである場合には比較的小さな値である所定のゲインＧＬが設定され、
　高／低感度画像並び替え部２２は、２ラインごとに高感度部分と低感度部分とが垂直方向Ｖに沿って混在した画像となっているデータ読出部２１で得られる画像データから、２ラインごとの画像データの抽出を行い、高感度画像と低感度画像との２画像を生成する、
　ダイナミックレンジの拡大された撮像画像を生成することの可能な撮像装置。」
　
３．３．引用例３
３．２．１．引用例３の記載事項
　当審における平成２５年９月１３日付の拒絶の理由で刊行物７として引用した特開２００３−２５９２０１号公報(以下「引用例３」という。)には、図面と共に、以下の記載がある。
　
「【発明の詳細な説明】
【０００１】
【発明の属する技術分野】本発明は、撮像における露出制御を行う技術に関する。」
「【０００２】
【従来の技術】従来より、ＣＣＤ等の撮像素子を用いて画像データを取得するデジタルカメラにおいては、撮影待機状態において取得される画像データ中の明るさに基づいてシャッタースピードや絞り値などの露出制御値を求め露出制御を行うようになっている。」
「【００３２】ＣＣＤ２０１は、受光部、垂直転送部、水平転送部および出力部等から構成される撮像素子である。ＣＣＤ２０１は、撮影レンズ３により結像された被写体の光像を受光部によって信号電荷に光電変換し、この信号電荷を垂直転送部および水平転送部を介して転送を行って順次出力部から出力する。ＣＣＤ２０１の受光部は、Ｒ（赤）、Ｇ（緑）、Ｂ（青）のカラーフィルタが貼り付けられた横２５６０×縦１９２０の画素からなり、ＣＣＤ２０１から出力される信号電荷はＲＧＢの色成分を有する画像信号となる。」
「【００３３】ＣＣＤ２０１は、画像信号の出力モードとして、全画素の画像データを出力するフレームモードと、縦の画素を１／８に間引いて横２５６０×縦２４０の画素を有する簡易画像データを出力するドラフトモードとを有している。撮影待機状態においては高速化のためドラフトモードに、撮影指示後において記録用の画像データを出力する際にはフレームモードにそれぞれ設定される。」
「【００４８】図６は、主測光演算回路２２２が演算対象とする画像データ中の領域を説明するための図である。前述したように、ＣＣＤ２０１では横２５６０×縦１９２０の画素を有する画像データ７１ａが取得されるが、ドラフトモードに設定されたＣＣＤ２０１からは、縦の画素を１／８に間引いた横２５６０×縦２４０の画素を有する簡易画像データ７１ｂが出力される。この簡易画像データ７１ｂは、演算領域抽出回路２０８によりさらに横の画素も１／８に間引かれ、主測光演算回路２２２が演算対象とする横３２０×縦２４０の画素を有する画像データ７１ｃが生成される。この画像データ７１ｃは全画素の画像データ７１ａの縦横双方を１／８に均一に間引いたものであるため、主測光演算回路２２２が演算対象とする領域は、画像データ７１ａの全体の領域に相当する。」
「【００４９】主測光演算回路２２２は、この画像データ７１ｃを例えば縦５×横５のブロックに分割し、分割された各ブロックに対し加重係数（本実施の形態ではＫ１，Ｋ２，Ｋ３：Ｋ１＞Ｋ２＞Ｋ３）を設定する。具体的には、図６に示すように、主被写体像が存在する可能性の高い画像データ７１ｃの中央ブロックＢＬを露出注目領域とし、この露出注目領域ＢＬに最大の加重係数Ｋ１を設定する。さらに、露出注目領域ＢＬの周辺ブロックに加重係数Ｋ２を設定し、その他のブロックに最小の加重係数Ｋ３を設定する。」
「【００５０】そして、同一の加重係数が設定されたブロックを同一のグループとして、グループごとに画素の輝度値の平均値を算出し、算出した輝度値の平均値と、設定した加重係数とを用いて加重平均を行い、その演算結果を主測光値ＢＶ１とする。例えば、露出注目領域ＢＬの輝度値の平均値がＤ１、露出注目領域ＢＬの周辺ブロックの輝度値の平均値がＤ２、その他のブロックの輝度値の平均値がＤ３であったとすると、主測光値ＢＶ１は、
ＢＶ１＝（Ｋ１・Ｄ１＋Ｋ２・Ｄ２＋Ｋ３・Ｄ３）／（Ｋ１＋Ｋ２＋Ｋ３）
で求められる。」
「【００７２】＜１−３．撮影モード動作＞次に、デジタルカメラ１の動作について説明する。図８は、このデジタルカメラ１の動作の流れを示す図である。なお、この説明においては、フォーカスモードはＡＦに設定され、フォーカスモードの切り替えは行われないものとする。」
「【００７３】デジタルカメラ１は撮影モードに設定されると撮影待機状態となり、所定時間ごとにＣＣＤ２０１で簡易画像データを取得し、ライブビュー画像を生成して表示部２２０に表示させるライブビュー動作を行う。」
「【００７４】まず、ＣＣＤ２０１が簡易画像データを出力するドラフトモードに設定される（ステップＳＴ１）。そして、ライブビュー用の簡易画像データを取得するための露出制御がＬＶ露出制御値に基づいて行われる。すなわち、実際の絞り値およびシャッタスピードがＬＶ用露出制御値になるように、露出信号送信部３１３からレンズ駆動部２１１およびタイミングジェネレータ２１０に対して信号が送信される（ステップＳＴ２）。なお、デジタルカメラ１の起動時においては、ＬＶ用露出制御値は導出されていないため、露出制御値としては適当な初期値が用いられる。」
「【００７５】続いて、ＣＣＤ２０１において簡易画像データが取得され（ステップＳＴ３）、取得された簡易画像データが信号処理回路２０２〜解像度変換部２０７にて所定の処理が行われてライブビュー画像とされた後、表示部２２０に表示される（ステップＳＴ５）。」
「【００７６】その一方で、簡易画像データは、演算領域抽出回路２０８にて所定の領域が抽出された後、主測光演算回路２２２およびＡＦ用測光演算回路２２３にも入力される。そして、主測光演算回路２２２において主測光値ＢＶ１が演算され、ＡＦ用測光演算回路２２３においてＡＦ用測光値ＢＶ２が演算される。」
「【００７７】さらに、演算された主測光値ＢＶ１とＡＦ用測光値ＢＶ２とは全体制御部３０の主露出演算部３１１とＡＦ用露出演算部３１２とにそれぞれ入力される。主露出演算部３１１は、入力された主測光値ＢＶ１に基づいて所定のプログラム線図を参照し、ＬＶ用露出制御値および記録用露出制御値を導出する。一方、ＡＦ用露出演算部３１２は、入力されたＡＦ用測光値ＢＶ２に基づいて所定のプログラム線図を参照し、ＡＦ用露出制御値を導出する（ステップＳＴ４）。」
「【００７８】このようにして導出されたＬＶ用露出制御値、記録用露出制御値およびＡＦ用露出制御値はそれぞれＲＡＭ３２に格納され、常時選択的に取り出すことが可能とされる。」
「【００７９】以上のステップＳＴ２〜ＳＴ５の動作（ライブビュー動作）は、シャッターボタン１１が半押しされるまで（ステップＳＴ６にてＮｏの間）繰り返される。このため、ＬＶ用露出制御値、記録用露出制御値およびＡＦ用露出制御値は、被写体に応じて適切な値に更新されつつＲＡＭ３２に保持される。このうちＬＶ用露出制御値は、ライブビュー用の簡易画像データを取得する際における露出制御に即時的に反映される。」　
「【図６】
」
「【図８】
」
　
３．３．２．引用例３記載の発明
　引用例３の記載について検討する。
　
　第一に、上記段落【０００２】の記載からみて、引用例３記載の発明は「撮影待機状態において取得される画像データ中の明るさに基づいてシャッタースピードや絞り値などの露出制御値を求め露出制御を行う、ＣＣＤを用いて画像データを取得するデジタルカメラ」である。
　第二に、上記段落【００３２】の記載からみて、引用例３記載の発明の「ＣＣＤ２０１は、画像信号の出力モードとして、全画素の画像データを出力するフレームモードと、縦の画素を１／８に間引いて横２５６０×縦２４０の画素を有する簡易画像データを出力するドラフトモードとを有し、撮影待機状態においては高速化のためドラフトモードに、撮影指示後において記録用の画像データを出力する際にはフレームモードにそれぞれ設定され」るものである。
　第三に、上記段落【００４８】【００４９】【００７６】の記載からみて「ＣＣＤ２０１からは、縦の画素を１／８に間引いた横２５６０×縦２４０の画素を有する簡易画像データ７１ｂが出力され、演算領域抽出回路２０８によりさらに横の画素も１／８に間引かれ、主測光演算回路２２２が演算対象とする横３２０×縦２４０の画素を有する画像データ７１ｃが生成され、主測光演算回路２２２において主測光値ＢＶ１が演算され」るものである。
　
　したがって、引用例３には以下の発明(以下「引用発明３」という。)が記載されている。
　
「撮影待機状態において取得される画像データ中の明るさに基づいてシャッタースピードや絞り値などの露出制御値を求め露出制御を行う、ＣＣＤを用いて画像データを取得するデジタルカメラであって、
　ＣＣＤ２０１は、画像信号の出力モードとして、全画素の画像データを出力するフレームモードと、縦の画素を１／８に間引いて横２５６０×縦２４０の画素を有する簡易画像データを出力するドラフトモードとを有し、撮影待機状態においては高速化のためドラフトモードに、撮影指示後において記録用の画像データを出力する際にはフレームモードにそれぞれ設定され、
　ＣＣＤ２０１からは、縦の画素を１／８に間引いた横２５６０×縦２４０の画素を有する簡易画像データ７１ｂが出力され、演算領域抽出回路２０８によりさらに横の画素も１／８に間引かれ、主測光演算回路２２２が演算対象とする横３２０×縦２４０の画素を有する画像データ７１ｃが生成され、主測光演算回路２２２において主測光値ＢＶ１が演算される、
　デジタルカメラ。」
　
４．対比
　本願発明と引用発明１を比較する。
　
４．１．「各々が光電変換素子を含み、水平方向及び垂直方向に配置された複数の画素から構成される画素配列と、前記画素配列から複数色の画素信号を読出す画素読出手段と、少なくとも２つの異なる利得の設定が可能で、前記画素読出手段により前記画素配列から読出された前記複数色の画素信号を増幅して出力する増幅手段と、前記増幅手段により前記複数色の全色の画素信号がそれぞれ少なくとも２つの異なる利得で増幅されるように、前記画素配列の規定の周期の行毎又は列毎に前記増幅手段に対して異なる利得を設定する利得設定手段とを備えた撮像素子」
　引用発明１は「前記予備発光照射手段による複数回の一定光量の予備発光を受け被写体により反射された光を光電変換する撮像素子」「前記複数回の予備発光において光電変換された前記撮像素子の出力信号を、それぞれの予備発光に対して異なった増幅率で増幅する増幅手段」を有するものである。そして、上記摘記した引用例１段落【００１１】の「上記撮影レンズ１に入光する被写体像を撮像するＣＣＤ等の固体撮像素子３」との記載からみて、引用発明１の「撮像素子」は「ＣＣＤ等の固体撮像素子」ということができ、ＣＣＤの通常の構成を前提とすると、引用発明１の「撮像素子」は各々が光電変換素子を含み、水平方向及び垂直方向に配置された複数の画素から構成されているものと認めることができる。また、引用発明１の「増幅手段」が「撮像素子」から「撮像素子の出力信号」を読み出していると認められ、更に、引用発明１の「増幅手段」は「増幅手段」自体に対して「複数回の予備発光において光電変換された前記撮像素子の出力信号を、それぞれの予備発光に対して異なった増幅率で増幅する」という利得設定を行っているということができる。
　
　ここで、本願発明の「撮像素子」は「画素配列」「画素読出手段」「増幅手段」「利得設定手段」を備えたものであるから、本願発明の「撮像素子」と引用発明の「撮像素子」「増幅手段」をまとめたものを以下対比する。
　
　第一に、本願発明の「撮像素子」が備える「画素配列」は「各々が光電変換素子を含み、水平方向及び垂直方向に配置された複数の画素から構成される」ものであるのに対し、引用発明１の「撮像素子」は「前記予備発光照射手段による複数回の一定光量の予備発光を受け被写体により反射された光を光電変換する」ものであって、上記したように、各々が光電変換素子を含み、水平方向及び垂直方向に配置された複数の画素から構成されているものと認められるから、引用発明１の「撮像素子」と本願発明の「撮像素子」が備える「画素配列」は、いずれも「前記予備発光照射手段による複数回の一定光量の予備発光を受け被写体により反射された光を光電変換する」もので有る点で一致している。
　第二に、本願発明の「撮像素子」が備える「画素読出手段」は「前記画素配列から複数色の画素信号を読出す」ものであるのに対し、引用発明１の「増幅手段」は上記したように「撮像素子」から「撮像素子の出力信号」を読み出していると認められるから、引用発明の「撮像素子」と本願発明の「撮像素子」が備える「画素読出手段」は「前記画素配列から画素信号を読出す」点で一致しているが、本願発明の「撮像素子」が備える「画素読出手段」が読み出す「画素信号」は「複数色の」ものであるのに対し、引用発明１の「増幅手段」が読み出す「撮像素子の出力信号」はそのようなものではない点で相違している。
　第三に、本願発明の「撮像素子」が備える「増幅手段」は「少なくとも２つの異なる利得の設定が可能で、前記画素読出手段により前記画素配列から読出された前記複数色の画素信号を増幅して出力する」ものであるのに対し、引用発明１の「増幅手段」は「前記複数回の予備発光において光電変換された前記撮像素子の出力信号を、それぞれの予備発光に対して異なった増幅率で増幅する」ものであるから、引用発明１の「増幅手段」と本願発明の「撮像素子」が備える「増幅手段」は「少なくとも２つの異なる利得の設定が可能で、前記画素読出手段により前記画素配列から読出された前記画素信号を増幅して出力する」点で一致し、本願発明の「撮像素子」が備える「増幅手段」の増幅の対象となる「画素信号」は「複数色の」ものであるのに対し、引用発明１の「増幅手段」の増幅の対象となる「撮像素子の出力信号」はそのようなものではない点で相違している。
　第四に、本願発明の「撮像素子」が備える「利得設定手段」は「前記増幅手段により前記複数色の全色の画素信号がそれぞれ少なくとも２つの異なる利得で増幅されるように、前記画素配列の規定の周期の行毎又は列毎に前記増幅手段に対して異なる利得を設定する」ものであるのに対し、引用発明１の「増幅手段」は上記したように「増幅手段」自体に対して「複数回の予備発光において光電変換された前記撮像素子の出力信号を、それぞれの予備発光に対して異なった増幅率で増幅する」という利得設定を行っているということができるから、引用発明１の「増幅手段」は、自ら利得設定を行っているという観点で、本願発明の「利得設定手段」と同様の手段を内在しているということができる。そうであるから、引用発明１の「増幅手段」と本願発明の「撮像素子」が備える「利得設定手段」は「前記増幅手段により前記画素信号がそれぞれ少なくとも２つの異なる利得で増幅されるように、前記増幅手段に対して異なる利得を設定する利得設定手段」である点で一致し、(a)本願発明の「撮像素子」が備える「利得設定手段」の利得設定の対象となる「増幅手段」の増幅の対象となる「画素信号」は「複数色の全色の」ものであるのに対し、引用発明１の「増幅手段」の増幅の対象となる「撮像素子の出力信号」はそのようなものではない点、(b)本願発明の「撮像素子」が備える「利得設定手段」の設定する利得は「前記画素配列の規定の周期の行毎又は列毎に」異なる利得であるのに対し、引用発明１の「増幅手段」が自ら行う利得設定による利得は「それぞれの予備発光に対して異なった増幅率」である点で異なっている。
　
　これら「第一に」〜「第四に」で述べたことをまとめると、引用発明１と本願発明は「各々が光電変換素子を含み、水平方向及び垂直方向に配置された複数の画素から構成される画素配列と、前記画素配列から画素信号を読出す画素読出手段と、少なくとも２つの異なる利得の設定が可能で、前記画素読出手段により前記画素配列から読出された前記画素信号を増幅して出力する増幅手段と、前記増幅手段により前記画素信号がそれぞれ少なくとも２つの異なる利得で増幅されるように、前記増幅手段に対して異なる利得を設定する利得設定手段とを備えた撮像素子」を有している点で一致し、(a)本願発明の「撮像素子」が備える「画素読出手段」が読み出す「画素信号」は「複数色の」ものであり、「撮像素子」が備える「増幅手段」の増幅の対象となる「画素信号」は「複数色の」ものであり、「撮像素子」が備える「利得設定手段」の利得設定の対象となる「増幅手段」の増幅の対象となる「画素信号」は「複数色の全色の」ものであるのに対し、引用発明１の「増幅手段」が読み出し、且つ、増幅の対象とする「撮像素子の出力信号」はそのようなものではない点、および、(b)本願発明の「撮像素子」が備える「利得設定手段」の設定する利得は「前記画素配列の規定の周期の行毎又は列毎に」異なる利得であるのに対し、引用発明１の「増幅手段」が自ら行う利得設定による利得は「それぞれの予備発光に対して異なった増幅率」である点で相違する。
　
４．２．「撮影する被写体に対して光を照射する発光手段」
　引用発明１は「撮影時に被写体に向かって補助光を照射し本発光の光量を設定するために複数回の一定光量の予備発光を行う予備発光照射手段」を有しており、この「予備発光照射手段」と本願発明の「撮影する被写体に対して光を照射する発光手段」が一致するから、引用発明１と本願発明は、いずれも「撮影する被写体に対して光を照射する発光手段」を有する点で一致している。
　
４．３．「前記撮像素子から出力される複数色の全色の画素信号を利用して前記被写体からの反射光を測光する測光手段」
　引用発明１は「前記予備発光照射手段による複数回の一定光量の予備発光を受け被写体により反射された光を光電変換する撮像素子と、前記複数回の予備発光において光電変換された前記撮像素子の出力信号を、それぞれの予備発光に対して異なった増幅率で増幅する増幅手段と、前記それぞれの予備発光に対して得られた前記増幅手段の出力信号の平均レベルが所定範囲にあるか否かを検出するための検出手段と、当該検出手段による検出の結果、前記増幅手段の出力信号の平均レベルが所定範囲にあると判別された当該増幅手段の出力信号に基づいて本発光の光量を演算する演算手段」を有しており、引用発明１の「演算手段」が「増幅手段の出力信号に基づいて本発光の光量を演算する」ために「被写体により反射された光」の光量を測光していると認められるから、引用発明１と本願発明は「前記撮像素子から出力される画素信号を利用して前記被写体からの反射光を測光する測光手段」を有する点で一致している。
　しかしながら、上記『４．１．「各々が光電変換素子を含み、水平方向及び垂直方向に配置された複数の画素から構成される画素配列と、前記画素配列から複数色の画素信号を読出す画素読出手段と、少なくとも２つの異なる利得の設定が可能で、前記画素読出手段により前記画素配列から読出された前記複数色の画素信号を増幅して出力する増幅手段と、前記増幅手段により前記複数色の全色の画素信号がそれぞれ少なくとも２つの異なる利得で増幅されるように、前記画素配列の規定の周期の行毎又は列毎に前記増幅手段に対して異なる利得を設定する利得設定手段とを備えた撮像素子」』で述べたように、本願発明の「撮像素子」が備える「画素読出手段」が読み出す「画素信号」は「複数色の」ものであり、「増幅手段」の増幅の対象となる「画素信号」は「複数色の」ものであり、「利得設定手段」の利得設定の対象となる「増幅手段」の増幅の対象となる「画素信号」は「複数色の全色の」ものであるのに対し、引用発明１の「増幅手段」が読み出し、且つ、増幅の対象とする「撮像素子の出力信号」はそのようなものではない点で異なっているから、引用発明１の「演算手段」が「本発光の光量を演算する」ために用いている「増幅手段の出力信号」が「複数色の全色の」ものであるということはできない。すなわち、本願発明の「測光手段」が利用する「前記撮像素子から出力される画素信号」は「複数色の全色の」ものであるのに対し、引用発明１の「演算手段」が「本発光の光量を演算する」ために用いている「増幅手段の出力信号」が「複数色の全色の」ものであるということはできない点で相違する。
　これらをまとめると、引用発明１と本願発明は「前記撮像素子から出力される画素信号を利用して前記被写体からの反射光を測光する測光手段」を有する点で一致し、本願発明の「測光手段」が利用する「前記撮像素子から出力される画素信号」は「複数色の全色の」ものであるのに対し、引用発明１の「演算手段」が「本発光の光量を演算する」ために用いている「増幅手段の出力信号」が「複数色の全色の」ものであるということはできない点で相違する。
　
４．４．「前記測光手段による測光結果に基づいて前記発光手段の発光量を決定し、決定した発光量で前記発光手段が発光するように制御する制御手段」
　引用発明１は「・・・当該検出手段による検出の結果、前記増幅手段の出力信号の平均レベルが所定範囲にあると判別された当該増幅手段の出力信号に基づいて本発光の光量を演算する演算手段と、前記演算手段で演算された本発光の光量に基づいて本発光を行うとともに、撮像素子から最適な画像データを得ることを特徴とするストロボ装置。」であるから、引用発明１と本願発明は「前記測光手段による測光結果に基づいて前記発光手段の発光量を決定し、決定した発光量で前記発光手段が発光するように制御する制御手段」を有する点で一致している。
　
４．５．「前記測光手段により前記被写体からの反射光を測光する場合に、前記画素読出手段が前記画素配列に対して水平方向又は垂直方向に規定の周期で画素間引きを行って画素信号を読出すとともに、前記増幅手段が前記画素配列における間引かれない画素行又は画素列に対して規定の周期の行毎又は列毎に設定された少なくとも２つの異なる利得で増幅することを特徴とする」
　上記『４．１．「各々が光電変換素子を含み、水平方向及び垂直方向に配置された複数の画素から構成される画素配列と、前記画素配列から複数色の画素信号を読出す画素読出手段と、少なくとも２つの異なる利得の設定が可能で、前記画素読出手段により前記画素配列から読出された前記複数色の画素信号を増幅して出力する増幅手段と、前記増幅手段により前記複数色の全色の画素信号がそれぞれ少なくとも２つの異なる利得で増幅されるように、前記画素配列の規定の周期の行毎又は列毎に前記増幅手段に対して異なる利得を設定する利得設定手段とを備えた撮像素子」』で述べたように、引用発明１の「増幅手段」が「撮像素子」から「撮像素子の出力信号」を読み出していると認められるものの、引用例１には、引用発明１の「増幅手段」による「撮像素子の出力信号」の読み出しが「画素配列に対して水平方向又は垂直方向に規定の周期で画素間引きを行って画素信号を読出す」ものであることの記載は無いから、本願発明は「前記画素読出手段が前記画素配列に対して水平方向又は垂直方向に規定の周期で画素間引きを行って画素信号を読出す」ものであるのに対し、引用発明１はそのようなものではない点で相違する。
　更に、上記『４．１．「各々が光電変換素子を含み、水平方向及び垂直方向に配置された複数の画素から構成される画素配列と、前記画素配列から複数色の画素信号を読出す画素読出手段と、少なくとも２つの異なる利得の設定が可能で、前記画素読出手段により前記画素配列から読出された前記複数色の画素信号を増幅して出力する増幅手段と、前記増幅手段により前記複数色の全色の画素信号がそれぞれ少なくとも２つの異なる利得で増幅されるように、前記画素配列の規定の周期の行毎又は列毎に前記増幅手段に対して異なる利得を設定する利得設定手段とを備えた撮像素子」』で述べたように、本願発明の「利得設定手段」は「前記増幅手段により前記複数色の全色の画素信号がそれぞれ少なくとも２つの異なる利得で増幅されるように、前記画素配列の規定の周期の行毎又は列毎に」前記増幅手段に対して異なる利得を設定するのに対し、引用発明１の「増幅手段」は「複数回の予備発光において光電変換された前記撮像素子の出力信号を、それぞれの予備発光に対して」異なった増幅率で増幅するものである点で相違し、引用発明１は「前記画素配列の規定の周期の行毎又は列毎に」前記増幅手段に対して異なる利得を設定するものではないから、本願発明は「前記増幅手段が前記画素配列における間引かれない画素行又は画素列に対して規定の周期の行毎又は列毎に設定された少なくとも２つの異なる利得で増幅する」ものであるのに対し、引用発明１はそのようなものではない点でも相違する
　これらをまとめると、本願発明は「前記測光手段により前記被写体からの反射光を測光する場合に、前記画素読出手段が前記画素配列に対して水平方向又は垂直方向に規定の周期で画素間引きを行って画素信号を読出すとともに、前記増幅手段が前記画素配列における間引かれない画素行又は画素列に対して規定の周期の行毎又は列毎に設定された少なくとも２つの異なる利得で増幅することを特徴とする」ものであるのに対し、引用発明１はそのようなものではない点で相違する。
　
４．６．「撮像装置」
　引用発明１は「ストロボ装置」ではあるものの「撮像素子から最適な画像データを得ることを特徴とする」ものであって、「撮像装置」であるととらえることができるから、引用発明１と本願発明は「撮像装置」である点で一致している。
　
５．一致点・相違点
　上記『４．１．「各々が光電変換素子を含み、水平方向及び垂直方向に配置された複数の画素から構成される画素配列と、前記画素配列から複数色の画素信号を読出す画素読出手段と、少なくとも２つの異なる利得の設定が可能で、前記画素読出手段により前記画素配列から読出された前記複数色の画素信号を増幅して出力する増幅手段と、前記増幅手段により前記複数色の全色の画素信号がそれぞれ少なくとも２つの異なる利得で増幅されるように、前記画素配列の規定の周期の行毎又は列毎に前記増幅手段に対して異なる利得を設定する利得設定手段とを備えた撮像素子」』から『４．６．「撮像装置」』で述べたことをまとめると、本願発明と引用発明１は、以下の点で一致し、相違する。
　
[一致点]
「各々が光電変換素子を含み、水平方向及び垂直方向に配置された複数の画素から構成される画素配列と、前記画素配列から画素信号を読出す画素読出手段と、少なくとも２つの異なる利得の設定が可能で、前記画素読出手段により前記画素配列から読出された前記画素信号を増幅して出力する増幅手段と、前記増幅手段により前記画素信号がそれぞれ少なくとも２つの異なる利得で増幅されるように、前記増幅手段に対して異なる利得を設定する利得設定手段とを備えた撮像素子と、
　撮影する被写体に対して光を照射する発光手段と、
　前記撮像素子から出力される画素信号を利用して前記被写体からの反射光を測光する測光手段と、
　前記測光手段による測光結果に基づいて前記発光手段の発光量を決定し、決定した発光量で前記発光手段が発光するように制御する制御手段と、
　を備えることを特徴とする撮像装置。」
　
[相違点]
(1)　本願発明の「撮像素子」が備える「利得設定手段」の設定する利得は「前記画素配列の規定の周期の行毎又は列毎に」異なる利得であるのに対し、引用発明１の「増幅手段」が自ら行う利得設定による利得は「それぞれの予備発光に対して異なった増幅率」である点。
(2)　本願発明の「撮像素子」が備える「画素読出手段」が読み出す「画素信号」は「複数色の」ものであり、「撮像素子」が備える「増幅手段」の増幅の対象となる「画素信号」は「複数色の」ものであり、「撮像素子」が備える「利得設定手段」の利得設定の対象となる「増幅手段」の増幅の対象となる「画素信号」は「複数色の全色の」ものであり、「測光手段」が利用する「前記撮像素子から出力される画素信号」は「複数色の全色の」ものであるのに対し、引用発明１の「増幅手段」が読み出し、且つ、増幅の対象とする「撮像素子の出力信号」はそのようなものではなく、「演算手段」が「本発光の光量を演算する」ために用いている「増幅手段の出力信号」が「複数色の全色の」ものであるということはできない点。
(3)　本願発明は「前記測光手段により前記被写体からの反射光を測光する場合に、前記画素読出手段が前記画素配列に対して水平方向又は垂直方向に規定の周期で画素間引きを行って画素信号を読出すとともに、前記増幅手段が前記画素配列における間引かれない画素行又は画素列に対して規定の周期の行毎又は列毎に設定された少なくとも２つの異なる利得で増幅することを特徴とする」ものであるのに対し、引用発明１はそのようなものではない点。
　
６．当審の判断
　以下、上記相違点(1)(2)(3)について検討する。
　
６．１．相違点(1)
　上記「３．２．２．引用例２記載の発明」で述べたように、引用発明２は「ダイナミックレンジの拡大された撮像画像を生成することの可能な撮像装置であって、撮像素子となるＣＣＤ１０、ＣＣＤ１０で得られたデータから被写体に関するカラー画像データを生成する画像処理部２０を有し、ＣＣＤ１０の撮像面１１には、複数の画素が２次元配列されるとともに、撮像面１１における各色成分がベイヤー配列され、適切なカラー画像を生成するために、高感度撮影用領域ＲＨと低感度撮影用領域ＲＬとがそれぞれ水平方向Ｈに沿った２ラインごとに交互に設定され、画像処理部２０は、データ読出部２１、高／低感度画像並び替え部２２、タイミングジェネレータ２８、およびＣＰＵ２９を備えて構成され、データ読出部２１は、ＣＣＤ１０から各画素の輝度信号をタイミングジェネレータ２８からの指示タイミングに基づいて順次に読み出すものであって、現在読み出し対象となっているラインが高感度撮影用領域ＲＨと低感度撮影用領域ＲＬとのいずれであるかを判断し、高感度撮影用領域ＲＨである場合には比較的大きな値である所定のゲインＧＨが設定し、低感度撮影用領域ＲＬである場合には比較的小さな値である所定のゲインＧＬが設定され、高／低感度画像並び替え部２２は、２ラインごとに高感度部分と低感度部分とが垂直方向Ｖに沿って混在した画像となっているデータ読出部２１で得られる画像データから、２ラインごとの画像データの抽出を行い、高感度画像と低感度画像との２画像を生成する、ダイナミックレンジの拡大された撮像画像を生成することの可能な撮像装置。」であって、その目的は「ダイナミックレンジの拡大された撮像画像を生成すること」であり、その目的を達成するために「高感度撮影用領域ＲＨである場合には比較的大きな値である所定のゲインＧＨが設定し、低感度撮影用領域ＲＬである場合には比較的小さな値である所定のゲインＧＬが設定」するという構成を有している。
　これに対し、引用発明１は「撮影時に被写体に向かって補助光を照射し本発光の光量を設定するために複数回の一定光量の予備発光を行う予備発光照射手段と、前記予備発光照射手段による複数回の一定光量の予備発光を受け被写体により反射された光を光電変換する撮像素子と、前記複数回の予備発光において光電変換された前記撮像素子の出力信号を、それぞれの予備発光に対して異なった増幅率で増幅する増幅手段と、前記それぞれの予備発光に対して得られた前記増幅手段の出力信号の平均レベルが所定範囲にあるか否かを検出するための検出手段と、当該検出手段による検出の結果、前記増幅手段の出力信号の平均レベルが所定範囲にあると判別された当該増幅手段の出力信号に基づいて本発光の光量を演算する演算手段と、前記演算手段で演算された本発光の光量に基づいて本発光を行うとともに、撮像素子から最適な画像データを得ることを特徴とするストロボ装置。」である。ここで、引用発明１の「前記それぞれの予備発光に対して得られた前記増幅手段の出力信号の平均レベルが所定範囲にあるか否かを検出するための検出手段」による「前記増幅手段の出力信号の平均レベルが所定範囲にあるか否か」との判断は、「出力信号の平均レベル」が「所定範囲」というダイナミックレンジの範囲内にあるか否かの判断であると理解することができるから、引用発明１の「前記それぞれの予備発光に対して得られた前記増幅手段の出力信号の平均レベルが所定範囲にあるか否かを検出するための検出手段」「当該検出手段による検出の結果、前記増幅手段の出力信号の平均レベルが所定範囲にあると判別された当該増幅手段の出力信号に基づいて本発光の光量を演算する演算手段」による処理は、「それぞれの予備発光に対して得られた前記増幅手段の出力信号の平均レベルが」ダイナミックレンジの範囲内であるか否かを判断し、ダイナミックレンジの範囲内である場合に「本発光の光量を演算する」ことによって、ダイナミックレンジの影響を受けずに正しく「本発光の光量を演算する」ものであるということができる。そして、引用発明１の「増幅手段」は「前記複数回の予備発光において光電変換された前記撮像素子の出力信号を、それぞれの予備発光に対して異なった増幅率で増幅する」ものであって、この「増幅手段」による処理に、「検出手段」「演算手段」による、「それぞれの予備発光に対して得られた前記増幅手段の出力信号の平均レベルが」ダイナミックレンジの範囲内であるか否かを判断し、ダイナミックレンジの範囲内である場合に「本発光の光量を演算する」ことによって、ダイナミックレンジの影響を受けずに正しく「本発光の光量を演算する」処理を併せて、上記「前記増幅手段の出力信号の平均レベルが所定範囲にあるか否か」を「増幅手段」の入力側に換算すると、『入力信号の平均レベルが「所定範囲の下限／最大増幅度」から「所定範囲の上限／最小増幅度」にあるか否か』となるから、これら「増幅手段」「検出手段」「演算手段」による処理は、「本発光の光量を演算する」過程で、「撮像素子」に入射する「前記予備発光照射手段による複数回の一定光量の予備発光を受け被写体により反射された光」のダイナミックレンジの拡大として働いていると理解することができる。
　そうすると、引用発明１と引用発明２は、いずれも「ダイナミックレンジの拡大」を行うものであり、そのために、複数の増幅度を利用するものである点で共通しているが、引用発明１は複数回撮影する必要があるのに対し、引用発明２は一回の撮影でそれを実現している点で異なっている。そして、引用発明１は複数回撮影する必要があるため、最初の「予備発光」から「前記演算手段で演算された本発光の光量に基づいて本発光を行うとともに、撮像素子から最適な画像データを得る」迄には時間がかかるものであるが、引用発明１は上記『４．６．「撮像装置」』で述べたように「撮像装置」であるととらえることができるものであることを考えると、より良い画像を取得するために、撮像を行おうとする指令をしてから実際に撮像するまでの遅れをできるだけ短くしようとすることは、良く知られた課題であって、それを実現するために、いずれも「ダイナミックレンジの拡大」を行う点で共通している引用発明１と引用発明２の間で、引用発明１の「撮像素子」「増幅手段」を引用発明２に記載されたものと置き換えることによって、結局、設定する利得を「前記画素配列の規定の周期の行毎又は列毎に」異なる利得としたことは、当業者が容易になしえたことにすぎない。
　
６．２．相違点(2)
　引用発明２は「ＣＣＤ１０の撮像面１１には、複数の画素が２次元配列されるとともに、撮像面１１における各色成分がベイヤー配列され、適切なカラー画像を生成するために、高感度撮影用領域ＲＨと低感度撮影用領域ＲＬとがそれぞれ水平方向Ｈに沿った２ラインごとに交互に設定され」ているものであって、この「２ライン」にはベイヤー配列されたＲ，Ｇ，Ｂの各色成分がすべて含まれているものであるが、上記相違点(1)で述べたように、引用発明１の「撮像素子」「増幅手段」を引用発明２に記載されたものと置き換えること自体は容易であり、また、Ｒ，Ｇ，Ｂの出力すべてを用いて輝度信号を求めることも例を挙げるまでもなく良く行われていることであるから、「撮像素子」が備える「画素読出手段」が読み出す「画素信号」は「複数色の」ものであり、「撮像素子」が備える「増幅手段」の増幅の対象となる「画素信号」は「複数色の」ものであり、「撮像素子」が備える「利得設定手段」の利得設定の対象となる「増幅手段」の増幅の対象となる「画素信号」は「複数色の全色の」ものであり、「測光手段」が利用する「前記撮像素子から出力される画素信号」は「複数色の全色の」ものとすることは、当業者が容易になしえたことにすぎない。
　
６．３．相違点(3)
　上記「３．３．２．引用例３記載の発明」で述べたとおり、引用発明３は「撮影待機状態において取得される画像データ中の明るさに基づいてシャッタースピードや絞り値などの露出制御値を求め露出制御を行う、ＣＣＤを用いて画像データを取得するデジタルカメラであって、ＣＣＤ２０１は、画像信号の出力モードとして、全画素の画像データを出力するフレームモードと、縦の画素を１／８に間引いて横２５６０×縦２４０の画素を有する簡易画像データを出力するドラフトモードとを有し、撮影待機状態においては高速化のためドラフトモードに、撮影指示後において記録用の画像データを出力する際にはフレームモードにそれぞれ設定され、ＣＣＤ２０１からは、縦の画素を１／８に間引いた横２５６０×縦２４０の画素を有する簡易画像データ７１ｂが出力され、演算領域抽出回路２０８によりさらに横の画素も１／８に間引かれ、主測光演算回路２２２が演算対象とする横３２０×縦２４０の画素を有する画像データ７１ｃが生成され、主測光演算回路２２２において主測光値ＢＶ１が演算される、デジタルカメラ。」であって、解像度を下げた簡易画像データを用いて測光を行うものである。
　ここで、引用例１段落【００２６】に「なお、自然光のみおよび予備発光における測光時おいては、全画面を６４の領域に分割し、各領域ごとにハード的に各画素データが平均化されたデータを撮像素子より求めるようにしても良い。これにより、より高速処理が実現できる。」との記載があるように、引用発明１において撮像素子を用いて測光するときには、その撮像素子を用いて画像データを得るときに比べ、その解像度が低くても良いものであるから、引用発明１と引用発明２の組み合わせを維持しつつ、引用発明１に引用発明３を組み合わせ、「前記測光手段により前記被写体からの反射光を測光する場合に、前記画素読出手段が前記画素配列に対して水平方向又は垂直方向に規定の周期で画素間引きを行って画素信号を読出すとともに、前記増幅手段が前記画素配列における間引かれない画素行又は画素列に対して規定の周期の行毎又は列毎に設定された少なくとも２つの異なる利得で増幅することを特徴とする」ように構成したことは、当業者が容易になしえたことにすぎない。
　
　また、本願発明は、格別の作用効果を奏するものとも認められない。　
　
　したがって、本願発明は、引用発明１〜３に基づき当業者が容易に発明できたものである。　
　
７．むすび
　以上のとおり、本願発明は、引用例１〜３に記載された発明に基づいて当業者が容易に発明をすることができたものであるから、特許法第２９条第２項の規定により特許を受けることができない。　
　
　したがって、残る請求項２〜６に係る発明について検討するまでもなく、本件出願は拒絶をすべきものである。
　
　よって、結論のとおり審決する。